【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
光源から射出する照明光の調光処理によって表示画像の明るさを調整する画像表示装置であって、
前記照明光の調光を行う調光手段と、
前記照明光の光量を検出する光量検出手段と、
前記表示画像の明るさを特徴づける画像パラメータを表示画像の画像信号から所定の時間間隔毎に抽出する画像パラメータ抽出手段と、
調光制御パラメータ調整モード時には、前記調光手段を制御するための光学特性測定用の調光制御パラメータを出力すると共に、当該調光制御パラメータに応じて検出される前記照明光の光量に基づいて前記調光手段の光学特性を判定し、当該光学特性に基づいて前記調光制御パラメータと前記画像パラメータとの対応関係を示す参照データを作成する調光制御パラメータ調整手段と、
前記調光制御パラメータ調整モード時には、前記調光制御パラメータ調整手段から出力される前記光学特性測定用の調光制御パラメータに基づいて前記調光手段を制御する一方、通常表示モード時には、前記調光制御パラメータ調整手段によって作成された前記参照データを基に、前記画像パラメータ抽出手段によって抽出された画像パラメータに応じた調光制御パラメータを決定し、当該決定した調光制御パラメータに基づいて前記調光手段を制御する調光制御手段と、
を具備することを特徴とする画像表示装置。
【請求項２】
前記光量検出手段は、投射スクリーン上に表示される画像の明るさを照明光の光量として検出することを特徴とする請求項１記載の画像表示装置。
【請求項３】
前記照明光の光量検出時には、全白画像を表示することを特徴とする請求項２記載の画像表示装置。
【請求項４】
前記光量検出手段は、内部の照明光の光路外に配置され、当該照明光の内部反射光の光量を検出することを特徴とする請求項１記載の画像表示装置。
【請求項５】
前記内部反射光の光量検出時には、全黒画像を表示することを特徴とする請求項４記載の画像表示装置。
【請求項６】
前記参照データとして、前記調光制御パラメータと前記画像パラメータとの対応関係を示すルック・アップ・テーブルを作成することを特徴とする請求項１〜５いずれかに記載の画像表示装置。
【請求項７】
前記ルック・アップ・テーブルは、γ特性と合致するように決定されることを特徴とする請求項６記載の画像表示装置。
【請求項８】
前記ルック・アップ・テーブルは、前記画像信号に含まれる輝度値と合致するように決定されることを特徴とする請求項７記載の画像表示装置。
【請求項９】
光源から射出する照明光の調光を行う調光手段と、当該調光手段を制御する調光制御手段とを備える画像表示装置の前記調光手段を制御するための調光制御パラメータを決定する調整装置であって、
前記画像表示装置に接続するためのインタフェースと、
前記照明光の光量を検出する光量検出手段と、
調光制御パラメータ調整モード時には、前記調光手段を制御するための光学特性測定用の調光制御パラメータを出力すると共に、当該調光制御パラメータに応じて検出される前記照明光の光量に基づいて前記調光手段の光学特性を判定し、当該光学特性に基づいて前記調光制御パラメータと前記画像パラメータとの対応関係を示す参照データを作成する調光制御パラメータ調整手段とを備え、
該調光制御パラメータ調整手段は、前記参照データを前記インタフェースを介して前記調光制御手段に記憶させることを特徴とする画像表示装置の調整装置。
【請求項１０】
前記調光制御パラメータ調整手段は、前記調光制御パラメータに平均化処理を施すことを特徴とする請求項９記載の画像表示装置の調整装置。
【請求項１１】
前記調光制御パラメータ調整手段は、前記調光制御パラメータと所定の制限値とを比較し、当該制限値を越える調光制御パラメータが存在する場合は、当該調光制御パラメータを前記制限値に変換することを特徴とする請求項９記載の画像表示装置の調整装置。
【請求項１２】
前記調光制御パラメータ調整手段は、前記調光手段の全制御範囲において、画像のちらつきが認識されないような一定値の調光制御パラメータを決定することを特徴とする請求項９記載の画像表示装置の調整装置。
【請求項１３】
光源から射出する照明光の調光を行う調光手段と、当該調光手段を制御する調光制御手段とを備える画像表示装置であって、
前記調光制御手段は、請求項９〜１２いずれかに記載の画像表示装置の調整装置によって作成された前記参照データを用いて前記調光手段を制御することを特徴とする画像表示装置。
【請求項１４】
所定の調光手段によって光源から射出する照明光の調光処理によって表示画像の明るさを調整する画像表示方法であって、
光学特性測定用の調光制御パラメータを用いて前記調光手段を制御すると共に当該調光制御パラメータに応じた前記照明光の光量を検出する第１ステップと、
前記調光制御パラメータに応じて検出される前記照明光の光量に基づいて前記調光手段の光学特性を判定する第２ステップと、
前記光学特性に基づいて前記調光制御パラメータと前記表示画像の明るさを特徴づける画像パラメータとの対応関係を示す参照データを作成する第３ステップと、
前記画像パラメータを表示画像の画像信号から所定の時間間隔毎に抽出する第４ステップと、
前記第３ステップにて作成された参照データを基に、前記第４ステップにて抽出された画像パラメータに応じた調光制御パラメータを決定する第５ステップと、
前記第５ステップにて決定した調光制御パラメータに基づいて前記調光手段を制御する第６ステップと、
を有することを特徴とする画像表示方法。
【請求項１５】
光源から射出する照明光の調光を行う調光手段と、当該調光手段を制御する調光制御手段とを備える画像表示装置の前記調光手段を制御するための調光制御パラメータを決定する調整方法であって、
光学特性測定用の調光制御パラメータを用いて前記調光手段を制御すると共に当該調光制御パラメータに応じた前記照明光の光量を検出する第１ステップと、
前記調光制御パラメータに応じて検出される前記照明光の光量に基づいて前記調光手段の光学特性を判定する第２ステップと、
前記光学特性に基づいて前記調光制御パラメータと前記表示画像の明るさを特徴づける画像パラメータとの対応関係を示す参照データを作成する第３ステップと、
前記第３ステップで作成された参照データを前記調光制御手段に記憶させる第４ステップと、
を有することを特徴とする画像表示装置の調整方法。
【手続補正２】
【補正対象書類名】明細書
【補正対象項目名】０００９
【補正方法】変更
【補正の内容】
【０００９】
上記課題を解決するために、本発明では、画像表示装置に係わる解決手段として、光源から射出する照明光の調光処理によって表示画像の明るさを調整する画像表示装置であって、前記照明光の調光を行う調光手段と、前記照明光の光量を検出する光量検出手段と、前記表示画像の明るさを特徴づける画像パラメータを表示画像の画像信号から所定の時間間隔毎に抽出する画像パラメータ抽出手段と、調光制御パラメータ調整モード時には、前記調光手段を制御するための光学特性測定用の調光制御パラメータを出力すると共に、当該調光制御パラメータに応じて検出される前記照明光の光量に基づいて前記調光手段の光学特性を判定し、当該光学特性に基づいて前記調光制御パラメータと前記画像パラメータとの対応関係を示す参照データを作成する調光制御パラメータ調整手段と、前記調光制御パラメータ調整モード時には、前記調光制御パラメータ調整手段から出力される前記光学特性測定用の調光制御パラメータに基づいて前記調光手段を制御する一方、通常表示モード時には、前記調光制御パラメータ調整手段によって作成された前記参照データを基に、前記画像パラメータ抽出手段によって抽出された画像パラメータに応じた調光制御パラメータを決定し、当該決定した調光制御パラメータに基づいて前記調光手段を制御する調光制御手段と、を具備する、という手段を採用する。
この発明によれば、画像表示装置に備えられた調光手段（調光素子）の光学特性を基に当該調光手段を制御する調光制御パラメータを決定するので、個々の画像表示装置について最適な調光処理を行うことができ、調光素子の個体差の影響を受けず、安定した調光処理を行うことが可能である。
【手続補正３】
【補正対象書類名】明細書
【補正対象項目名】００１４
【補正方法】変更
【補正の内容】
【００１４】
また、本発明では、前記参照データとして、前記調光制御パラメータと前記画像パラメータとの対応関係を示すルック・アップ・テーブルを作成することが好ましい。
この発明によれば、きめ細かく正確な調光制御が可能となる。
【手続補正４】
【補正対象書類名】明細書
【補正対象項目名】００１７
【補正方法】変更
【補正の内容】
【００１７】
一方、本発明では、画像表示装置の調整装置に係わる解決手段として、光源から射出する照明光の調光を行う調光手段と、当該調光手段を制御する調光制御手段とを備える画像表示装置の前記調光手段を制御するための調光制御パラメータを決定する調整装置であって、前記画像表示装置に接続するためのインタフェースと、前記照明光の光量を検出する光量検出手段と、調光制御パラメータ調整モード時には、前記調光手段を制御するための光学特性測定用の調光制御パラメータを出力すると共に、当該調光制御パラメータに応じて検出される前記照明光の光量に基づいて前記調光手段の光学特性を判定し、当該光学特性に基づいて前記調光制御パラメータと前記画像パラメータとの対応関係を示す参照データを作成する調光制御パラメータ調整手段とを備え、該調光制御パラメータ調整手段は、前記参照データを前記インタフェースを介して前記調光制御手段に記憶させる、という手段を採用する。
この発明によれば、画像表示装置の内部に光量検出手段及び調光制御パラメータ調整手段を備える必要がなく、個々の画像表示装置が備える調光手段の光学特性に合わせて調光制御パラメータを決定することができ、調光素子の個体差の影響を受けず、安定した調光処理を行うことが可能である。
【手続補正５】
【補正対象書類名】明細書
【補正対象項目名】００２８
【補正方法】変更
【補正の内容】
【００２８】
また、本発明では、画像表示装置に係わる解決手段として、光源から射出する照明光の調光を行う調光手段と、当該調光手段を制御する調光制御手段とを備える画像表示装置であって、前記調光制御手段は、上記画像表示装置の調整装置によって作成された前記参照データを用いて前記調光手段を制御する、という手段を採用する。
この発明によれば、上述した画像表示装置の調整装置を用いて代表的な１台の画像表示装置について調光制御パラメータを決定し、このように決定した調光制御パラメータを他の画像表示装置に展開することで、生産効率の向上及び調光素子の個体差の影響を低減でき、安定した調光処理を行うことが可能である。
【手続補正６】
【補正対象書類名】明細書
【補正対象項目名】００３０
【補正方法】変更
【補正の内容】
【００３０】
さらに、本発明では、画像表示方法に係わる解決手段として、所定の調光手段によって
光源から射出する照明光の調光処理によって表示画像の明るさを調整する画像表示方法であって、光学特性測定用の調光制御パラメータを用いて前記調光手段を制御すると共に当該調光制御パラメータに応じた前記照明光の光量を検出する第１ステップと、前記調光制御パラメータに応じて検出される前記照明光の光量に基づいて前記調光手段の光学特性を判定する第２ステップと、前記光学特性に基づいて前記調光制御パラメータと前記表示画像の明るさを特徴づける画像パラメータとの対応関係を示す参照データを作成する第３ステップと、前記画像パラメータを表示画像の画像信号から所定の時間間隔毎に抽出する第４ステップと、前記第３ステップにて作成された参照データを基に、前記第４ステップにて抽出された画像パラメータに応じた調光制御パラメータを決定する第５ステップと、前記第５ステップにて決定した調光制御パラメータに基づいて前記調光手段を制御する第６ステップと、を有するという手段を採用する。
この発明によれば、画像表示装置に備えられた調光手段（調光素子）の光学特性を基に当該調光手段を制御する調光制御パラメータを決定するので、個々の画像表示装置について最適な調光処理を行うことができ、調光素子の個体差の影響を受けず、安定した調光処理を行うことが可能である。
【手続補正７】
【補正対象書類名】明細書
【補正対象項目名】００３１
【補正方法】変更
【補正の内容】
【００３１】
また、本発明では、画像表示装置の調整方法に係わる解決手段として、光源から射出する照明光の調光を行う調光手段と、当該調光手段を制御する調光制御手段とを備える画像表示装置の前記調光手段を制御するための調光制御パラメータを決定する調整方法であって、光学特性測定用の調光制御パラメータを用いて前記調光手段を制御すると共に当該調光制御パラメータに応じた前記照明光の光量を検出する第１ステップと、前記調光制御パラメータに応じて検出される前記照明光の光量に基づいて前記調光手段の光学特性を判定する第２ステップと、前記光学特性に基づいて前記調光制御パラメータと前記表示画像の明るさを特徴づける画像パラメータとの対応関係を示す参照データを作成する第３ステップと、前記第３ステップで作成された参照データを前記調光制御手段に記憶させる第４ステップと、を有するという手段を採用する。
この発明によれば、画像表示装置の内部に光量検出手段及び調光制御パラメータ調整手段を備える必要がなく、個々の画像表示装置が備える調光手段の光学特性に合わせて調光制御パラメータを決定することができ、調光素子の個体差の影響を受けず、安定した調光処理を行うことが可能である。